(57)【要約】【課題】従来のシャーシ構造においては、電子機器本体から発生した不要輻射（特に、高周波の電磁波）が外部に漏れ出すのを防止するために、ばね部材等の別部材が必要とされていたことから、部品代や組立工数が増加して不経済であった。【解決手段】支持受け面２９を有するフロントフレーム１７と、支持受け面に載置される接触面部３１を有し、接触面部が支持受け面に対して固定されることなく移動可能に支持される上ケース１５と、を有している。支持受け面２９に、接触面部３１の面方向と交差する方向に突出するストッパ片２８を設け、そのストッパ片２８に接触面部３１の先端縁を当接させた状態でメインシャーシ１４に上ケース１５を組み立てる。【選択図】図１
2010205310.tif 000002
【特許請求の範囲】
【請求項１】
受け部を有するシャーシ部材と、
前記受け部に載置される接触面部を有し、且つ、前記接触面部が前記受け部に対して固定されることなく移動可能に支持されるケース部材と、を有し、
前記受け部に、前記接触面部の面方向と交差する方向に突出する位置決め部を設け、
前記位置決め部に前記接触面部の縁を当接させた状態で前記シャーシ部材に前記ケース部材を組み立てた
シャーシ構造。
【請求項２】
前記位置決め部を複数箇所に設けた
請求項１記載のシャーシ構造。
【請求項３】
前記シャーシ部材又は前記ケース部材に、スイッチ装置が搭載されたスイッチ基板を取り付け、
前記スイッチ装置を動作させるための操作力が入力される方向を、前記接触面部の面方向と同方向に設定した
請求項１記載のシャーシ構造。
【請求項４】
前記位置決め部の突出量を、前記接触面部の板厚の１倍から２倍までの範囲内とした
請求項１記載のシャーシ構造。
【請求項５】
前記受け部は、前記接触面部と面接触する平面部、前記接触面部と線接触する曲面部又は前記接触面部と点接触する球面部のいずれかである
請求項１記載のシャーシ構造。
【請求項６】
前記接触面部の先端に凹部を設け、
前記凹部に前記位置決め部を係合させ、前記先端が延在する方向に対する前記接触面部の位置決めとした
請求項１記載のシャーシ構造。
【請求項７】
前記ケース部材は前記シャーシ部材に固定され、
前記ケース部材の奥行き寸法を前記シャーシ部材の奥行き寸法よりも大きく形成し、
前記ケース部材を前記シャーシ部材に固定する固定位置から前記接触面部の縁までの寸法を、前記固定位置から前記位置決め部までの寸法よりも長くした
請求項１記載のシャーシ構造。
【請求項８】
受け部を有するシャーシ部材と、
前記受け部に載置される接触面部を有し、且つ、前記接触面部が前記受け部に対して固定されることなく移動可能に支持されるケース部材と、
前記シャーシ部材に支持される電子機器本体と、を備え、
前記受け部に、前記接触面部の面方向と交差する方向に突出する位置決め部を設け、
前記位置決め部に前記接触面部の縁を当接させた状態で前記シャーシ部材に前記ケース部材を組み立てた
電子機器。
【発明の詳細な説明】
【技術分野】
【０００１】
本発明は、受け部を有するシャーシ部材とその受け部に載置される接触面部を有するケース部材との組み合わせからなるシャーシ構造、及び、そのシャーシ構造を備えた電子機器に関する。特に、シャーシ部材又はケース部材に外力が加えられた場合に、一方の部材に加えられた外力を他方の部材で受けて、それぞれの部材に変形が生じるのを防止又は抑制でき、不要輻射（電磁波）の漏れを少なくできるシャーシ構造及び電子機器に関する。
【背景技術】
【０００２】
一般に、電子機器は、そのメイン機能を有する本体部分となる電子機器本体を備えており、その電子機器本体は、適宜な構成を有するシャーシ構造によって支持されている。
例えば、ＤＶＤプレーヤやＴＶの地上波デジタルチューナ等の電子機器におけるシャーシ構造は、電子機器本体が載置される金属製のフレームと、このフレームに装着されて電子機器本体を覆うパネル等を備えて構成されている。この種の電子機器では、近年、ユーザーによる搬送経費の削減、使用時における設置の容易性等の観点から軽量化が図られている。また、電子機器のコスト削減のためには、材料の使用量を減らすことが効果的である。これらに起因して、電子機器のフレームやパネルの板厚は益々薄くなってきており、そのためフレームやパネルの強度が低下している。この板厚の薄型化による強度低下を防止し或いは抑制するために、通常は、フレームやパネルの折り方、或いは、リブの入れ方等に多くの工夫がなされているが、板厚の薄型化による強度低下を防ぐには限界があった。
【先行技術文献】
【特許文献】
【０００３】
【特許文献１】実用新案登録第３０９５５５１号（実願２００３−３６３号）公報
【０００４】
従来の、この種の電子機器のシャーシ構造としては、例えば、特許文献１に記載されているようなものがある。特許文献１には、光ディスクを再生するディスク装置からの不要な電磁波の輻射を低減し、電磁波障害を防止するようにしたディスク装置のシールド構造に関するものが記載されている。
【０００５】
この特許文献１に係るディスク装置のシールド構造は、筐体とディスクドライブ装置とクランプホルダと板ばねとを備えて構成されている。ディスク装置の筐体は、樹脂製の前面パネルと、金属製の背面パネルと、金属製の上ケースと、金属製の下ケースとからなっている。この筐体内の下ケースの中央部にディスクドライブ装置が載置されており、そのディスクドライブ装置の下部空間であって、前面パネルに近接した位置に断面略コ字状の金属製のクランプホルダが取り付けられている。このクランプホルダと共に板バネの一端が筐体にネジ止めされ、その板バネの他端が上ケースに接触されていて、板バネによってクランプホルダと上ケースとが電気的に接続されている。
【０００６】
このような構成を有する引用例１のディスク装置のシールド構造によれば、クランプホルダと上ケースとを電気的に接続して、金属製のクランプホルダと金属製の下ケースとで接続ケーブルをシールドすることができる。そのため、フロントローディング式のディスクドライブ装置を搭載した、前面パネルが樹脂製であるディスク装置からの不要電磁波の輻射を低減し、他の電子装置への電磁波障害を防止することができる、という効果が期待される。
【０００７】
しかしながら、特許文献１に記載されたディスク装置のシールド構造においては、次に述べるような問題があった。この従来例の問題点を、図１１Ａ〜１１Ｃ及び図１２Ａ，１２Ｂを参照して説明する。図１１Ａ〜１１Ｃにおいて、符号１は、金属製の前面フレームであり、この前面フレーム１の上部には、水平方向に所定幅で折曲形成された受け部１ａが設けられている。この受け部１ａの上面に、金属製の上ケース２の先端に設けた接触面部２ａが載置されている。そして、前面フレーム１と上ケース２は、図示しない金属製の下ケースに対して、それぞれ正面から見えない側面部や背面部においてねじ止めされて固定されている。
【０００８】
一方、前面フレーム１の受け部１ａと上ケース２の接触面部２ａとが接触する部分は、その位置が前面上部の見易い部分であることから、ねじを用いて締め合わせることとはされておらず、単純に接触したままの状態となっていた。そのため、部品精度や組立作業のバラツキ等によって受け部１ａと接触面部２ａとの間に隙間ができることがあり、その隙間から、電子機器本体の動作によって発生した不要輻射（特に、高周波の電磁波）が外部に漏れ出すという問題があった。この問題に対して、従来では、ばね部材を用いて接触面部２ａをパネル受け部１ａに付勢する等の対策を行っていたが、ばね部材等の別部品を必要とすることから、部品代や組立工数が増える等の問題があった。
【０００９】
図１１Ａに示すように、例えば、上ケース２の前端縁の左右方向略中央部に、上方から下方に向けて外力Ｆ１が作用したものとする。すると、図１１Ｂに示すように、上ケース２から前面フレーム１に付与される押圧力Ｆ１によって前面フレーム１が弓形に変形し、その左右方向略中央部において、二点鎖線で表した状態から実線で表した状態のように、背面側に大きく変形してしまう。この前面フレーム１の変形量が所定量を越えると、上ケース２の接触面部２ａと前面フレーム１の受け部１ａとの間にズレが発生する。そして、接触面部２ａが受け部１ａから外れて前面フレーム１の前側に沈み込み、二点鎖線で表した状態から実線で表した状態に変形してしまう。
【００１０】
また、図１１Ａにおいて、例えば、前面フレーム１の左右方向略中央部に、前方から後方に向けて水平方向の外力Ｆ２が作用したものとする。すると、図１１Ｃに示すように、その押圧力Ｆ２によって前面フレーム１が背面側に弓形に変形し、その左右方向略中央部において、二点鎖線で表した状態から実線で表した状態に変形してしまう、という現象が起こり易かった。
【００１１】
図１２Ａ，１２Ｂは、図１１Ｃに示す問題が生じる具体例を説明するものである。即ち、図１２Ａ，１２Ｂに示す符号３は、例えば、ＤＶＤプレーヤ等の電子機器における電源スイッチ等のスイッチ装置である。スイッチ装置３はタクトスイッチであり、スイッチ基板４を介して前面フレーム１の前面に固定されている。このような状態において、スイッチ装置３の操作ボタンに対して、操作力として必要以上に大きな力が加えられると、前面フレーム１に変形が生じる。その結果、図１２Ｂに示すように、前面フレーム１が、二点鎖線で表した状態から実線で表した状態に変形し、操作ボタンの操作フィーリングが悪化してしまうことになる。
【発明の概要】
【発明が解決しようとする課題】
【００１２】
解決しようとする問題点は、従来のシャーシ構造においては、電子機器本体から発生した不要輻射（特に、高周波の電磁波）が外部に漏れ出すのを防止するために、ばね部材等の別部材が必要とされていたことから、部品代や組立工数が増加して不経済であった。また、前面フレームや上ケースに大きな外力が加えられると、前面フレームや上ケースが比較的簡単に変形してしまうという点である。
【課題を解決するための手段】
【００１３】
本出願のシャーシ構造は、受け部を有するシャーシ部材と、受け部に載置される接触面部を有し、且つ、接触面部が受け部に対して固定されることなく移動可能に支持されるケース部材と、を有している。受け部に、接触面部の面方向と交差する方向に突出する位置決め部を設け、その位置決め部に接触面部の先端縁を当接させた状態でシャーシ部材にケース部材を組み立てる。
【００１４】
また、本出願の電子機器は、受け部を有するシャーシ部材と、受け部に載置される接触面部を有し且つ接触面部が受け部に対して固定されることなく移動可能に支持されるケース部材と、電子機器本体と、を備えている。電子機器本体は、シャーシ部材に支持されており、受け部に、接触面部の面方向と交差する方向に突出する位置決め部を設け、その位置決め部に接触面部の先端縁を当接させた状態でシャーシ部材にケース部材を組み立てる。
【発明の効果】
【００１５】
本出願のシャーシ構造によれば、シャーシ部材の位置決め部にケース部材の接触面部を当接させることにより、受け部と接触面部との間の隙間から、電子機器本体から発生した不要輻射が外部に漏れ出すのを防止することができる。更に、位置決め部に接触面部を当接させることにより、シャーシ部材及びケース部材の一方の部材に加えられる力を他方の部材で受けて、各部材が外力によって変形されるのを防ぐことができる。
【００１６】
また、本出願の電子機器によれば、シャーシ部材やケース部材の板厚を薄くしても強度が大きいシャーシ構造を備えた電子機器を提供することができる。
【図面の簡単な説明】
【００１７】
【図１】本発明のシャーシ構造を用いた電子機器の第１の実施の例を示すＤＶＤプレーヤを示すもので、フロントパネルを取り除いた状態の斜視図である。
【図２】本発明のシャーシ構造を用いた電子機器の第１の実施の例を示すＤＶＤプレーヤを示すもので、フロントパネル及び上ケースを分離させた状態の斜視図である。
【図３】本発明のシャーシ構造を用いた電子機器の第１の実施の例を示すＤＶＤプレーヤの外観斜視図である。
【図４】図１の要部を拡大して示す説明図である。
【図５】図４の要部を更に拡大して示す説明図である。
【図６】図４の要部を前後方向に断面して示す説明図である。
【図７】本発明のシャーシ構造を用いた電子機器のシャーシ部材とケース部材の組立状態を説明する説明図である。
【図８】本発明のシャーシ構造の第１の実施の例を説明するもので、図８Ａは第１の部分の断面図、図８Ｂは第１の部分の平面図である。
【図９】本発明のシャーシ構造の第１の実施の例を説明するもので、図９Ａは第２の部分の断面図、図９Ｂは第２の部分の平面図である。
【図１０】本発明のシャーシ構造の第２の実施の例を説明するもので、図１０Ａは断面図、図１０Ｂは分離した平面図、図１０Ｃは図１０Ａの右側面図である。
【図１１】従来のシャーシ構造を説明するもので、図１１Ａは変形前の状態、図１１Ｂは前面フレームが後方へ変形して上ケースが下方へ変形した状態、図１１Ｃは前面フレームが後方へ変形した状態、をそれぞれ断面して示す説明図である。
【図１２】従来のシャーシ構造を説明するもので、図１２Ａは変形前の状態、図１２Ｂは変形後の状態、をそれぞれ断面して示す説明図である。
【発明を実施するための形態】
【００１８】
受け部を有するシャーシ部材に位置決め部を設け、受け部に載置されるケース部材の接触面部の縁を位置決め部に当接させ、この状態でシャーシ部材にケース部材を組み立てる。これにより、シャーシ部材又はケース部材に付与された外力を、２つの部材で一緒に受けて一方の部材に付与される外力を小さくすることができる。そのため、シャーシ部材及びケース部材の板厚を薄くして軽量化を図ることができると共に、構造全体の強度を高めることができるシャーシ構造、及び、そのシャーシ構造を備えた電子機器を、簡単な構成によって実現した。
【実施例１】
【００１９】
図１乃至図３は、本発明のシャーシ構造を備えた電子機器の第１の実施の形態の例を示すもので、電子機器としてＤＶＤ（Digital Versatile Disc）レコーダに適用したものである。このＤＶＤレコーダ１０は、ＤＶＤを情報記録媒体として用いて情報信号の記録や再生を行う電子機器本体１１と、この電子機器本体１１を内部に収容して保護する筐体１２とによって構成されている。図３は、ＤＶＤレコーダ１０を前側右斜め上方から見た外観斜視図である。
【００２０】
電子機器本体１１は、詳細には説明しないが、現在の市場において一般的に提供されているものと同様の構造を有するものであり、ディスクドライブ装置２０と、ローディング装置と、これらを制御する制御装置等を備えて構成されている。ディスクドライブ装置２０は、ターンテーブルとスピンドルモータと光ピックアップとピックアップ駆動部等によって構成されている。光ディスクはターンテーブルに着脱自在に装着され、そのターンテーブルがスピンドルモータによって回転駆動される。光ピックアップはピックアップ駆動部によって光ディスクの半径方向へ往復移動可能に構成されている。そして、光ピックアップが光ディスクの半径方向内側から外側へ移動する際に、その光ピックアップによって光ディスクに対する情報信号の記録や再生が実行される。
【００２１】
このような構成を有する電子機器本体１１が収容される筐体１２は、図２等に示すような構成を有している。即ち、筐体１２は、シャーシ部材の一具体例を示すメインシャーシ１４と、ケース部材の一具体例を示す上ケース１５とによって構成されている。メインシャーシ１４は、電子機器本体１１が取り付けられるメインの骨組みをなすものであり、例えば、電気亜鉛めっき鋼板（ＳＥＣＣ）等によって構成されている。
【００２２】
このメインシャーシ１４は、電子機器本体１１が載置される略長方形をなすボトムフレームと、このボトムフレームの四辺に連続して一体に形成されたフロントフレーム１７、リアフレーム、及び左右のサイドフレーム１８とを有している。ボトムフレーム上に載置された電子機器本体１１が、図示しない複数個の固定ねじによって分離可能に固定されている。ボトムフレームを除く４つのフレームは、ボトムフレームの一面を四角に囲むように、それぞれ９０度に折り曲げることにより立ち上げられて設けられている。そして、これら４つのフレームで囲まれることによって上方に開口された四角形の開口部が上ケース１５によって覆われている。
【００２３】
上ケース１５は、長方形をなす上面板２１と、この上面板２１の左右方向両側に連続する左右の側面板２２，２３とを有しており、ＳＥＣＣ等の材料を用いて全体としてコ字状に形成されている。上面板２１は、メインシャーシ１４の上面全体を覆うことができる大きさを有しており、上ケース１５の奥行き方向の寸法（奥行き寸法）はメインシャーシ１４の奥行き寸法よりも少し大きく形成されている。そして、上ケース１５の対向する二辺に左右の側面板２２，２３が連続されて一体に形成されている。なお、左右の側面板２２，２３は、上面板２１の長手方向の両側部を、その一面側にそれぞれ９０度に折り曲げることによって形成されている。
【００２４】
上ケース１５をメインシャーシ１４に装着すると、左右の側面板２２，２３が、メインシャーシ１４の左右のサイドフレーム１８の外側に重ね合わされるように対向される。そして、上ケース１５の正面側に開口される部分にはメインシャーシ１４のフロントフレーム１７が嵌め合わされ、上ケース１５の背面側に開口される部分にはメインシャーシ１４のリアフレームが嵌め合わされる。この上ケース１５は、メインシャーシ１４に対して複数箇所でねじ止めすることによって組立・分離可能とされている。この実施例では、左右の側面板２２，２３の各１箇所と、上面板２１の後端縁からリアフレーム側に突出した図示しない突起部の合計３箇所（突起部を２箇所以上に設けて合計４箇所以上で固定する構成としてもよい。）にて固定ねじ２４でねじ止めされている。
【００２５】
図１及び図７に示すように、メインシャーシ１４のフロントフレーム１７は、上ケース１５の前面側開口部よりも少し小さく形成されており、左右両側に若干の隙間が設けられている。このフロントフレーム１７の中央部より左側へ少し片寄った位置に、横長の開口部２６が設けられている。このフロントフレーム１７の開口部２６からは、ディスクドライブ装置２０の前面部が僅かに突出するように配設されている。ディスクドライブ装置２０の前面部２０ａには、光ディスクが出し入れされるスリット状のディスク出入口２７が設けられている。
【００２６】
更に、フロントフレーム１７の上端縁には、位置決め部の第１の具体例を示すストッパ片２８が、複数箇所（本実施例では４箇所）において、同じ高さ位置で同様の形状及び大きさに設けられている。このストッパ片２８は、メインシャーシ１４と上ケース１５との間における奥行き方向の位置決めをなすものである。４つのストッパ片２８は、フロントフレーム１７の両サイドの各側端縁に近い２箇所と、その内側に適宜な間隔をあけて配置された２箇所の合計４箇所に設定されており、それぞれ上方へ適宜な高さ突出されている。このストッパ片２８の高さ（突出量）は、上ケース１５の板厚と等しい（１倍）値からその板厚の２倍の値までの範囲内の値に設定するのが好ましい。
【００２７】
このような寸法にストッパ片２８を設定する場合には、図６に示すように、そのストッパ片２８をフロントパネル１６の内側に無理なく収納することが可能となる。これにより、フロントパネル１６を組み立てた状態において、ストッパ片２８が外面に露出されて外観を害することになるおそれをなくすことができる。なお、ストッパ片２８は、少なくとも１個あれば本発明の目的を達成することができる。従って、ストッパ片２８の数は、１個以上３個以下であってもよく、また、５個以上設ける構成としてもよい。
【００２８】
図５等に示すように、ストッパ片２８は、例えば、次のようにして形成することができる。まず、フロントフレーム１７の上端縁に、ストッパ片２８を残してその周囲をコ字状に切り取る。次に、ストッパ片２８の部分を残し、ストッパ片２８の基部から上端側を９０度に折り曲げる。これにより、ストッパ片２８を切り起こして形成できると共に、そのストッパ片２８の周囲（近傍）に、上ケース１５の接触面部を支持するための受け部の一具体例を示す支持受け面２９を同時に形成することができる。
【００２９】
ストッパ片２８として例示した位置決め部は、この実施例の他にも、例えば、軸ピンや凸片を溶接等で固定して位置決め部としてフロントパネルに設ける構成とすることもできる。更に、フロントパネルの上端部に、曲げ加工を施して突条を設け、その突条部を位置決め部として用いることもできる。また、フロントパネルの上端部に、絞り加工によってボス部を設け、そのボス部を位置決め部として用いることもできる。更に、この実施例では、４個のストッパ片２８を同一の形状及び大きさに形成したが、その形状及び大きさが異なる組み合わせであってもよいことは勿論である。
【００３０】
フロントフレーム１７の４個のストッパ片２８に対して、これに当接される上ケース１５の部分は、後述する凹部である必要はなく、上ケース１５の端部であればよいものである。この上ケース１５の端部は、一般的には、単に縁となっている部分であるが、その縁部分に突部を一体に設け、或いは別部材を溶着等して一体的に設け、ストッパ片２８に対する係合の確実性を高める構成とすることもできる。
【００３１】
支持受け面２９として例示した受け部は、メインシャーシ１４に対する上ケース１５の高さ方向の位置決めをなすものである。この受け部は、この実施例で示した他にも、例えば、軸ピンや凸片を溶接等で固定して受け部としてフロントパネルに設ける構成とすることもできる。更に、フロントパネルの上端部に、曲げ加工を施して突条を設け、その突条部を受け部として用いることもでき、また、フロントパネルの上端部に、絞り加工によってボス部を設け、そのボス部を受け部として用いることもできる。即ち、受け部は、適当な広さを有する平面部に限定されるものではなく、丸棒による線接触や、球体による点接触によって支持するものであってもよい。
【００３２】
図２及び図７等に示すように、この実施例では、フロントフレーム１７の４個のストッパ片２８に対応させて、上ケース１５の上面板２１の前端縁に４つの凹部３２が設けられている。凹部３２は、フロントフレーム１７に対する上ケース１５の幅方向（左右方向）の位置決めをなすもので、少なくとも１つあればその機能を果たすことができる。しかしながら、この実施例では、４個のストッパ片２８に対応させて凹部３２を４箇所に設け、各ストッパ片２８に凹部３２にそれぞれ係合させている。この場合、上ケース１５の１つの凹部３２の奥側寸法とストッパ片２８の幅寸法を互いに嵌合する関係に設定する。これにより、メインシャーシ１４と上ケース１５との間における奥行き方向の位置決めと共に、メインシャーシ１４に対する上ケース１５の幅方向の位置決めを同時に行うことができる。なお、ストッパ片２８と凹部３２との係合部位を４箇所に設けたことにより、上ケース１５とメインシャーシ１４との係合関係をより確実なものとすることができる。
【００３３】
図４及び図５に拡大して示すように、接触面部３１は、長手方向と交差する方向の断面形状がＬ字状をなすように形成されている。即ち、接触面部３１は、上面板２１に連続して下方に立ち下げられた垂直面部３１ａと、この垂直面部３１ａの下端に連続して上面板２１と平行に設けられた水平面部３１ｂとを有している。垂直面部３１ａは、前面側に立ち下げられた部分を、その幅で長手方向に連続させた平面部からなり、上面板２１の前端縁に連続する部分を９０度折り曲げることによって形成されている。水平面部３１ｂは、垂直面部３１ａの下端縁に連続する部分を、９０度折り返して上面板２１と平行をなす方向に延在させることによって形成されている。
【００３４】
接触面部３１の水平面部３１ｂは、強度を高めるための補強用の細幅部３３ａと、フロントパネル１６を係合保持するための太幅部３３ｂからなっている。太幅部３３ｂは、水平面部３１ｂの長手方向の複数箇所（フロントパネル１６を支持するために好適な位置）に設定されている。これら細幅部３３ａ及び太幅部３３ｂにおいて、フロントフレーム１７の４個のストッパ片２８と対応する４箇所に凹部３２が設けられている。
【００３５】
なお、４つの凹部３２の各底部（奥行き側の縁）は、前後方向の同一位置に設定されている。これは、フロントフレーム１７の４個のストッパ片２８が、同じく前後方向の同一位置に設定されていることに対応させたものである。従って、前後方向の異なる位置に複数のストッパ片を設定したような場合には、これに対応させて、前後方向の異なる位置に凹部を複数設定するようにする。
【００３６】
図４〜図６に示すように、フロントフレーム１７の前面にはスイッチ基板３５が取り付けられている。そして、スイッチ基板３５の前面には、複数のスイッチ装置３６、液晶パネル等の表示装置３７、マイクロコンピュータその他の集積回路（ＬＳＩ）やコンデンサや抵抗等の電子部品３８、コネクタ３９等が取り付けられている。スイッチ装置３６としては、例えば、電力をオン・オフさせる電源スイッチ、情報の記録や再生の開始及び終了を選択する記録再生スイッチ等を挙げることができる。このフロントフレーム１７の前面を覆い隠すようにフロントパネル１６が着脱可能に取り付けられている。
【００３７】
フロントパネル１６は、フロントフレーム１７の前面部を覆うハウジング４１と、このハウジング４１の上部に装着されるトップカバー４２と、ハウジング４１の前面に取り付けられるフロントカバー４３とによって構成されている。ハウジング４１は、背面側が開口された略直方体をなす細長い容器体からなり、その背面側から内部に、フロントフレーム１７の前面に取り付けられているスイッチ基板３５その他の部材が収納される。このハウジング４１の上面にトップカバー４２が取り付けられ、前面にフロントカバー４３が取り付けられている。
【００３８】
フロントパネル１６がフロントフレーム１７に取り付けられた状態において、フロントカバー４３の、スイッチ基板３５に固定されたスイッチ装置３６と対応する位置に、そのスイッチ装置３６を動作させるための操作部４４が設けられている。操作部４４は、軸方向一端の軸径を大きくしたボタン弁４５と、このボタン弁４５をスイッチ装置３６から引き離す方向へ付勢するコイルばね４６とを有している。ボタン弁４５は、フロントカバー４３によって軸方向へ所定距離だけ移動可能に支持されており、このボタン弁４５の大径側の一端がフロントカバー４３の表面に露出され、他端はフロントカバー４３を貫通して背面側に突出されている。このボタン弁４５の背面側の端部が、スイッチ装置３６の操作子３６ａに臨まれている。
【００３９】
また、図６に示すように、ハウジング４１の開口部のトップカバー４２側の縁部には、水平面部３１ｂの凹部３２に係合された状態のストッパ片２８を収納することができる収納凹部４７が設けられている。この収納凹部４７をハウジング４１に設けたことにより、ストッパ片２８と凹部３２が係合している状態をハウジング４１内に隠して煩雑さを無くし、フロントパネル１６周囲の外観をすっきりした見栄えの良いものとすることが可能となる。
【００４０】
前述したような構成を有するメインシャーシ１４に電子機器本体１１を取り付けた後、メインシャーシ１４に上ケース１５を装着し、固定ねじ２４で３以上の所定位置をねじ止めする。これにより、メインシャーシ１４に対して上ケース１５が所定位置に位置決めされて固定される。このとき、図１、図４、図６及び図７に示すように、フロントフレーム１７に設けた支持受け面２９に上ケース１５の接触面部３１が載置されることにより、フロントフレーム１７に対する上ケース１５の高さ方向の位置決めがなされる。これと共に、フロントフレーム１７に設けたストッパ片２８に、上ケース１５の接触面部３１に設けた凹部３２が係合することにより、フロントフレーム１７と上ケース１５との間における奥行き方向の位置決めがなされる。
【００４１】
これらフロントフレーム１７のストッパ片２８及び支持受け面２９と上ケース１５の接触面部３１との位置決め関係を断面して示した図が、図８Ａ及び図９Ａである。このとき、上ケース１５の左右側面板２２，２３及び背面部は固定ねじ２４によってフロントフレーム１７にねじ止めされている。これに対して、上面板２１の前端部である接触面部３１のみは、外観上の美観の観点から、固定ねじによるねじ止めは行われておらず、接触面部３１の凹部３２がフロントフレーム１７のストッパ片２８に係合されている。
【００４２】
この場合、メインシャーシ１４の奥行き寸法よりも上ケース１５の奥行き寸法を大きく設定しているため、フロントフレーム１７のストッパ片２８と上ケース１５の凹部３２との係合をより確実なものとすることができる。この際、上ケース１５は、リアフレームに図示しない固定ねじによってねじ止めされるため、その固定部を基準位置として係合が可能なようにストッパ片２８及び凹部３２の奥側寸法を予め設定しておくようにする。これにより、上ケース１５をメインシャーシ１４に装着して固定部をねじ止めすると、奥行き寸法の差分によって凹部３２がストッパ片２８に押し付けられる。そのため、凹部３２とストッパ片２８を確実に係合させることができる。なお、奥行き寸法の誤差分は、リアフレームの撓み変形によって吸収される。
【００４３】
かくして、図８Ａに示すように、上ケース１５の上面板２１の前端部に上方から下方に向う外力Ｆ１が作用すると、左右両側方及び背面側からの反力によって接触面部３１に前方に向かう反力が発生する。これにより、接触面部３１の凹部３２がストッパ片２８の背面に押し付けられ、このストッパ片２８によって受け止められる。このストッパ片２８から付与される反力によって接触面部３１の形状が保持され、従来例の問題点として示した図１１Ｂに示すような状態に上ケース１５及びフロントフレーム１７が変形するのを防止することができる。
【００４４】
また、図８Ａに示すように、フロントフレーム１７の上端部に前方から後方に向う外力Ｆ２が作用すると、ストッパ片２８が接触面部３１の凹部３２に押し付けられる。このとき、上ケース１５の左右側面板２２，２３及び背面部は固定ねじ２４によってフロントフレーム１７にねじ止めされている。そのため、ねじ止めされている固定部からの反力によってフロントフレーム１７の形状が保持され、従来例の問題点として示した図１１Ｃに示すような状態にフロントフレーム１７が変形するのを防止することができる。
【００４５】
更に、図９Ａに示すように、スイッチ装置３６の操作子３６ａに大きな押圧力が付与され、その押圧力がスイッチ基板３５を介してフロントフレーム１７の上端部に、前方から後方に向う外力Ｆ２として作用するものとする。すると、ストッパ片２８が接触面部３１の凹部３２に押し付けられるため、ねじ止めされている固定部からの反力によってフロントフレーム１７の形状が保持される。従って、この実施例の場合においても、従来例の問題点として示した図１１Ｃに示すような状態にフロントフレーム１７が変形するのを防止することができる。
【実施例２】
【００４６】
図１０は、本発明の第２の実施例を示すもので、上ケース１５の接触面部５１に位置決め部としてのストッパ片５２を設け、これに対応させて、フロントフレーム１７の受け部としての支持受け面５３に凹部５４を設ける構成としたものである。上ケース１５の接触面部５１は、上面板２１に連続して下方に立ち下げられた垂直面部５１ａと、この垂直面部５１ａの下端に連続して上面板２１と平行に設けられた水平面部５１ｂとを有している。垂直面部５１ａは、前面側に立ち下げられた部分を、その幅で長手方向に連続させた平面部からなり、上面板２１の前端縁に連続する部分を９０度折り曲げることによって形成されている。水平面部５１ｂは、垂直面部５１ａの下端縁に連続する部分を、９０度折り返して上面板２１と平行をなす方向に延在させることによって形成されている。
【００４７】
この接触面部５１の垂直面部５１ａの下端縁に、位置決め部としてのストッパ片５２が設けられている。このストッパ片５２は、ストッパ片２８と同じく、メインシャーシ１４と上ケース１５との間における奥行き方向の位置決めをなすものである。このストッパ片５２も前記ストッパ片２８と同様に、周囲をコ字状に打ち抜いた後、その基部において、水平面部５１ｂを９０度折り曲げることによって形成されている。このストッパ片５２についても、前記実施例と同様に、形状・構成等に関して、各種の変形例を適用できることは勿論である。
【００４８】
また、フロントフレーム１７の上端部を９０度折り曲げることにより、受け部としての支持受け面５３が設けられている。そして、この支持受け面５３の外縁に凹部５４が設けられている。この支持受け面５３及び凹部５４についても、前記実施例と同様に、形状・構成等に関して、各種の変形例を適用できることは勿論である。
【００４９】
このような構成とすることによっても、前記実施例と同様の効果を得ることができる。即ち、フロントフレーム１７に設けた支持受け面５３に上面板２１の接触面部５１が載置されることにより、フロントフレーム１７に対する上ケース１５の高さ方向の位置決めがなされる。これと共に、フロントフレーム１７に設けた凹部５４に、上面板２１の接触面部５１に設けたストッパ片５２が係合することにより、フロントフレーム１７と上ケース１５との間における奥行き方向の位置決めがなされる。
【００５０】
これらフロントフレーム１７の支持受け面５３と上ケース１５の接触面部５１及びストッパ片５２との位置決め関係を断面して示した図が、図１０Ａ、図１０Ｃである。このとき、上ケース１５の左右側面板２２，２３及び背面部は固定ねじ２４によってフロントフレーム１７にねじ止めされている。これに対して、上面板２１の前端部である接触面部５１のみは、外観上の美観の観点から、固定ねじによるねじ止めは行われておらず、接触面部５１のストッパ片５２がフロントフレーム１７の凹部５４に係合されている。
【００５１】
この状態において、図１０Ａに示すように、上ケース１５の上面板２１の前端部に上方から下方に向う外力Ｆ１が作用すると、左右両側方及び背面側からの反力によって接触面部５１に前方に向かう反力が発生する。これにより、接触面部５１のストッパ片５２が凹部５４の背面に押し付けられ、この凹部５４によって受け止められる。この凹部５４から付与される反力によって接触面部５１の形状が保持され、従来例の問題点として示した図１１Ｂに示すような状態に上ケース１５及びフロントフレーム１７が変形するのを防止することができる。
【００５２】
また、図１０Ａに示すように、フロントフレーム１７の上端部に前方から後方に向う外力Ｆ２が作用すると、支持受け面５３に設けた凹部５４が接触面部５１に設けたストッパ片５２に押し付けられる。このとき、上ケース１５の左右側面板２２，２３及び背面部は固定ねじ２４によってフロントフレーム１７にねじ止めされている。そのため、ねじ止めされている固定部からの反力によってフロントフレーム１７の形状が保持され、従来例の問題点として示した図１１Ｃに示すような状態にフロントフレーム１７が変形するのを防止することができる。
【００５３】
以上説明したように、従来、上ケースの最前部は、フロントフレーム若しくはメインシャーシのフロント部に単純に乗せる構造が一般的であった。そのため、上ケースの最前部やフロントフレーム等に外力が加えられると、上ケースやフロントフレーム等が比較的容易に変形してしまうという問題があった。
これに対して、本願発明では、フロントフレームの曲げの部分で、部分的に突起形状を形成し（１又は２以上）、そこに上ケースの一部を積極的に突き当てる構成とした。これにより、（１）不要輻射対策、（２）外装強度の向上、（３）ボタン操作性の改善等が可能となった。
【００５４】
（１）不要輻射対策
従来では、部品のバラツキ、組立精度のバラツキ等によってフロントフレームと上ケースとの間に隙間ができることがあり、かかる場合にその隙間から筐体外に、電子機器本体から発生される不要輻射が漏れることがあった。この対策として、従来では、ばね等の別部品を追加して設けることで不要輻射（例えば、電磁波）の漏れを抑制していたため、コストアップを招いているという問題があった。
これに対して、本願発明の構成を適用することにより、フロントフレームと上ケースが積極的に接触する部分が増えるため、これによって不要輻射が漏れ出ることを抑制することが可能となった。しかも、本発明では、ばね等の部品を追加して用いる必要がないため、コストアップを生じることがなく、効果的に対策することが可能となった。
【００５５】
（２）外装強度の向上
一般に、コストダウンを目的として上ケースやメインシャーシ、フロントフレームの板厚を薄くすると、上方向からの外力によって上ケース及びフロントフレームが大きく変形することがある。
これに対して、本願発明の構成とすることにより、材料の板厚を薄くすることによっても、互いに係合する複数の部材で外力を受けるため、上ケースやフロントフレーム等の変形を効果的に抑制することができる。
【００５６】
（３）ボタン操作性の改善
従来の電子機器のように、押ボタン式のタクトスイッチが固定されているスイッチ基板が、フロントフレームの前面に固定されている装置においては、次のような不具合があった。例えば、ボタンを押す力が大き過ぎると、ボタンを押した力によってフロントフレームが後方に撓んでしまい、ボタン操作性が悪化してしまう等の問題が生じていた。この現象は、フロントフレームの板厚が薄い場合に、特に顕著になってくる。
これに対して、本願発明の構成とする場合には、上ケース（又はフロントフレーム）がフロントフレーム（又は上ケース）のストッパーになる。そのため、フロントフレームの板厚を薄くしても、フロントフレームがボタン操作力によって撓むのを防止又は抑制することができ、ボタン操作性の悪化を防ぐことができる。
【００５７】
このように、本願発明によれば、不要輻射対策に優れたシャーシ構造を提供することができる。また、部品のコストダウンを目的として材料の板厚を薄くしていく動きの中で、板厚を薄くした場合に不利になってくる外装強度、ボタン操作性の改善に関しても、非常に大きな効果を奏することができる。
【００５８】
本発明は、前述しかつ図面に示した実施の形態に限定されるものではなく、その要旨を逸脱しない範囲内で種々の変形実施が可能である。前記実施例においては、電子機器としてＤＶＤレコーダに適用した例について説明したが、その他の電子機器にも適用できるものである。例えば、ＤＶＤプレーヤ、ステレオ装置のアンプやチューナ、テレビジョンのチューナ、パーソナルコンピュータの本体（ハードディスク装置等を有する部分）等に適用することができる。
【符号の説明】
【００５９】
１０…ＤＶＤレコーダ（電子機器）、  １１…電子機器本体、  １２…筐体、  １４…メインシャーシ（シャーシ部材）、  １５…上ケース（ケース部材）、  １６…フロントパネル、  １７…フロントフレーム、  ２０…ディスクドライブ装置、  ２１…上面板、  ２２，２３…側面板、  ２４…固定ねじ、  ２８，５２…ストッパ片（位置決め部）、  ２９，５３…支持受け面（受け部）、  ３１，５１…接触面部、  ３１ａ，５１ａ…垂直面部、  ３１ｂ、５１ｂ…水平面部、  ３２，５２…凹部、  ３５…スイッチ基板、  ３６…スイッチ装置、  ４３…フロントカバー、  ４４…操作部
【図１】
2010205310.tif 000003
【図２】
2010205310.tif 000004
【図３】
2010205310.tif 000005
【図４】
2010205310.tif 000006
【図５】
2010205310.tif 000007
【図６】
2010205310.tif 000008
【図７】
2010205310.tif 000009
【図８】
2010205310.tif 000010
【図９】
2010205310.tif 000011
【図１０】
2010205310.tif 000012
【図１１】
2010205310.tif 000013
【図１２】
2010205310.tif 000014